(57)【要約】【課題】雌ねじ付きコアドリルクラウン刃に可逆的に適用できる迅速組み付け／分離可能なコアドリルクラウン刃用ツール収容部構造を得る。【解決手段】鋸歯状輪郭部３及びツール側の軸線方向止め面４を有するコアドリルクラウン刃２のためのツール収容部１において、前記鋸歯状輪郭部３の半径方向張出部に関して鋸歯状の少なくとも端面側に雄ねじ部５を設ける。鋸歯状輪郭部３の雄ねじ山寸法Ａ及び／又は内部溝寸法Ｉが半径方向案内量をなし、この寸法関係が半径方向案内量より大きい軸線方向案内量Ｘにわたり、鋸歯状輪郭部の少なくとも一部に延在させる。好適には、鋸歯状輪郭部３には、周方向に互いに等間隔離れた、好適には、６個の互いに等しい幅の軸線方向溝７を設ける。また、軸線方向止め面４から装置側に軸線方向に離れた装置側の軸線方向止め面８と、この軸線方向止め面８に掛合する雌ねじスリーブ９を設ける。【選択図】図１
2004181622.tif 000002
【特許請求の範囲】
【請求項１】
鋸歯状輪郭部（３）及びツール側の軸線方向止め面（４）を有するコアドリルクラウン刃（２，２′）のためのツール収容部（１）において、前記鋸歯状輪郭部（３）の半径方向張出部に関して鋸歯状の少なくとも端面側に雄ねじ部（５）を設けたことを特徴とするツール収容部構造。
【請求項２】
鋸歯状輪郭部（３）の雄ねじ山寸法（Ａ）及び／又は内部溝寸法（Ｉ）が半径方向案内量をなし、この寸法関係が半径方向案内量より大きい軸線方向案内量（Ｘ）にわたり、前記鋸歯状輪郭部の少なくとも一部に延在させた請求項１記載のツール収容部構造。
【請求項３】
前記鋸歯状輪郭部（３）には、周方向に互いに等間隔離れた、好適には、互いに等しい幅の軸線方向溝（７）を設けた請求項１又は２記載のツール収容部構造。
【請求項４】
少なくとも３個の、好適には、６個の軸線方向溝（７）を設けた請求項１乃至３のうちのいずれか一項に記載のツール収容部構造。
【請求項５】
ツール側の軸線方向止め面（４）から装置側に軸線方向に離れた装置側の軸線方向止め面（８）と、更に、装置側に軸線方向に離れたスリーブであってこのスリーブのツール側で軸線方向に前記軸線方向止め面（８）に掛合する雌ねじスリーブ（９）を設けた請求項１乃至４のうちのいずれか一項に記載のツール収容部構造。
【請求項６】
前記ツール側の軸線方向止め面（４）から装置側に軸線方向に離れた截頭円錐面（１１）を設けた請求項１乃至５のうちのいずれか一項に記載のツール収容部構造。
【請求項７】
前記截頭円錐面（１１）は、ツール側の軸線方向止め面（４）と装置側の軸線方向止め面（８）とによって区切った請求項６記載のツール収容部構造。
【請求項８】
内部鋸歯状輪郭部（１２）を有するコアドリルクラウン刃（２）とともに、迅速組み付け／分離可能なツールねじ切りシステムを構成した請求項１乃至７のうちのいずれか一項に記載のツール収容部構造。
【請求項９】
雌ねじスリーブ（９）と装置側の軸線方向止め面（８）との間にゴムリング（１５）を配置した請求項１乃至８のうちのいずれか一項に記載のツール収容部構造。
【発明の詳細な説明】
【技術分野】
【０００１】
本発明は、ドリルツール特に、コアドリルクラウン刃を回転駆動するためのツール収容部構造に関するものである。
【背景技術】
【０００２】
雌ねじ、例えば、(１+1/4)″の寸法‐ＵＮＣ又はＰＩＸＩＥ規格‐の雌ねじ部を有する通常のコアドリルクラウン刃のためのツール収容部は、軸線方向の押圧力付与のためツール側の軸線方向止め面を設ける。例えば、米国特許第４，９１１，２５３号明細書に記載のように、このような緩み易いねじ連結には、組み付け／分離が困難であり、ねじ連結を更に締めつけるクランプ装置を必要とする欠点がある。
【０００３】
鋸歯状輪郭部及び２個の円錐状面を有する迅速組み付け／分離可能なツール収容部に内部鋸歯状輪郭部及び２個の円錐状面を設けるものがある（例えば、特許文献１参照）
【特許文献１】独国特許第３７４４０９１号明細書
【０００４】
特別な中空雄ねじ付きフランジを有するコアドリルクラウン刃用の迅速組み付け／分離可能なツール収容部であって、フランジの装置側にバヨネット継手の貫通溝孔を形成し、端面側に半径方向に突出する回転伝達突起を有する円筒形の案内フランジと、装置側に軸線方向にずれて位置する軸線方向押圧力付与のための雄ねじ部とを設け、この雄ねじ部を装置側の軸線方向止め面を有する雌ねじスリーブに掛合させるツール収容部がある（例えば、特許文献２参照）。
【特許文献２】独国特許第３８１４３６５号明細書
【０００５】
端面側に内部鋸歯状輪郭部を有し、また軸線方向に離れた円錐形内面を有する中空雄ねじ付きフランジを有するコアドリルクラウン刃用の迅速組み付け／分離可能なツール収容部であって、端面側に円錐状外面を設け、この円錐状外面の装置側に鋸歯状輪郭部を配置し、またこの装置側の鋸歯状輪郭部から軸線方向にずれて雌ねじスリーブのための雄ねじ部を配置し、コアドリルクラウン刃の円錐状内面を有する中空雄ねじ付きフランジの端面側内部鋸歯状輪郭部における鋸歯状輪郭部が掛合可能にするツール収容部がある（特許文献３参照）。
【特許文献３】独国特許第１９９６３６３６号明細書
【発明の開示】
【発明が解決しようとする課題】
【０００６】
本発明の目的は、雌ねじ付きコアドリルクラウン刃に可逆的に適用できる迅速組み付け／分離可能なコアドリルクラウン刃用ツール収容部構造を得るにある。
【課題を解決するための手段】
【０００７】
この目的を達成するため、本発明は、鋸歯状輪郭部及びツール側の軸線方向止め面を有するコアドリルクラウン刃のためのツール収容部において、前記鋸歯状輪郭部の半径方向張出部に関して鋸歯状の少なくとも端面側に雄ねじ部を設けたことを特徴とする。
【発明の効果】
【０００８】
鋸歯状輪郭部の半径方向突出部に雄ねじを設けたことにより、ツール収容部は、通常の雌ねじ付きコアドリルクラウン刃のみならず、迅速組み付け／分離可能なコアドリルクラウン刃にも連結できるようになる。
【発明を実施するための最良の形態】
【０００９】
本発明の好適な実施例によれば、鋸歯状輪郭部の雄ねじ山寸法及び／又は内部溝寸法が半径方向案内量をなし、この寸法関係が半径方向案内量より大きい軸線方向案内量にわたり、前記鋸歯状輪郭部の少なくとも一部に延在させる。この構成によれば、装着するコアドリルクラウン刃を軸線方向に案内することができる。
【００１０】
本発明の好適な実施例によれば、鋸歯状輪郭部には、周方向に互いに等間隔離れた、好適には、互いに等しい幅の軸線方向溝を設ける。この構成によれば、鋸歯状輪郭部のねじり応力が対称的になる。
【００１１】
本発明の好適な実施例によれば、少なくとも３個の、好適には、６個の軸線方向溝を設ける。この構成によれば、半径方向突出部に作用する高い応力を分割した接線方向力に分散することができる。
【００１２】
好適な実施例によれば、ツール側の軸線方向止め面から装置側に軸線方向に離れた装置側の軸線方向止め面と、更に、装置側に軸線方向に離れたスリーブであってこのスリーブのツール側で軸線方向に前記軸線方向止め面に掛合する雌ねじスリーブを設ける。この構成によれば、ツール収容部とコアドリルクラウン刃との間の軸線方向の押圧によって刻み目を付けることができる。
【００１３】
好適には、ツール側の軸線方向止め面から装置側に軸線方向に離れた截頭円錐面を設ける。この構成によれば、コアドリルクラウン刃の内部円錐面に芯合わせすることができるようになる。
【００１４】
好適には、前記截頭円錐面は、ツール側の軸線方向止め面と装置側の軸線方向止め面とによって区切る。この構成によれば、軸線方向に短い円錐状面とすることができる。
【００１５】
好適には、内部鋸歯状輪郭部を有するコアドリルクラウン刃とともに、迅速組み付け／分離可能なツールねじ切りシステムを構成する。この構成によれば、特に、剛性と案内特性に関して高い結合品質を得ることができる。
【００１６】
好適には、雌ねじスリーブと装置側の軸線方向止め面との間にゴムリングを配置する。この構成によれば、振動によって雌ねじスリーブが自動的に緩むのを防止することができる。
【００１７】
次に、図面につき本発明の好適な実施例を説明する。
【実施例１】
【００１８】
図１に示すコアドリルクラウン刃２用のツール収容部１には、端面側の円筒形鋸歯状部輪郭部３とツール側の軸線方向止め面４とを設け、鋸歯状輪郭部３には、鋸歯の半径方向張出部に関して、端面側に(１+1/4)″の寸法‐ＵＮＣ規格‐の雄ねじ部５を設ける。この鋸歯状輪郭部３の外側寸法Ａ及び内側寸法Ｉは、半径方向案内量をなし、この半径方向案内量よりも大きい軸線方向案内長さＸにわたりこれら寸法で全体的に延在する。この鋸歯状輪郭部３は、周方向に順次等間隔離れた同じ幅を有する６個の軸線方向溝７を有する。ツール収容部１は、装置側の軸線方向止め面４から装置側に軸線方向に離れた装着側の軸線方向止め面８と、やはり装置側に離れこの装置側軸線方向止め面８に対してツール側に向かって軸線方向に掛合する雌ねじスリーブ９とを設け、この雌ねじスリーブ９に対してコアドリルクラウン刃２の雄ねじ部１０がねじ込まれるようにする。更に、ツール収容部１には、ツール側の軸線方向止め面４から装置側に軸線方向に離れる側に截頭円錐面１１を設け、この截頭円錐面１１はツール側の軸線方向止め面４と装置側軸線方向止め面８とによって区切られる。このツール収容部１と、このツール収容部に適合して内部鋸歯状輪郭部１２を有するコアドリルクラウン刃２は、迅速組み付け及び分離可能なツールねじ切りシステムを構成する。雌ねじスリーブ９と装置側の軸線方向止め面８との間にはゴムリング１５を配置する。
【実施例２】
【００１９】
第２の実施例としては、図２に示すように、(１+1/4)″の寸法‐ＵＮＣ規格‐の雌ねじ部１４を有するコアドリルクラウン刃２′を設けることができる。
【図面の簡単な説明】
【００２０】
【図１】本発明の第１の実施例であるコアドリルクラウン刃用のツール収容部の分解斜視図である。
【図２】本発明の第２の実施例であるコアドリルクラウン刃の斜視図である。
【符号の説明】
【００２１】
１  ツール収容部
２  コアドリルクラウン刃
３  鋸歯状輪郭部
４  ツール側の軸線方向止め面
５  雄ねじ部
７  軸線方向溝
８  装着側の軸線方向止め面
９  雌ねじスリーブ
１０  コアドリルクラウン刃の雄ねじ部
１１  截頭円錐面
１２  内部鋸歯状部
１４  雌ねじ部
１５  ゴムリング
【図１】
2004181622.tif 000003
【図２】
2004181622.tif 000004